(57)【要約】【課題】２種類の無線通信システムを備え、これらによる信号の同時待ち受けが可能でありながらも、必要な部品点数や伝送路における電力損失を、極力低減させることが容易となる無線通信装置を提供する。【解決手段】所定の無線通信方式によって通信される信号（第１信号）の送受信を行う第１無線通信システム、および、他の無線通信方式によって通信される信号（第２信号）の送受信を行う第２無線通信システムを備えた無線通信装置であって、第１接続端子、第２接続端子、および第３接続端子を有し、これらの端子のうちの何れかとアンテナとを、切替可能に接続する切替装置を備え、第１接続端子は、受信のなされた第１信号および第２信号の伝送路に、第２接続端子は、送信がなされるべき第１信号の伝送路に、第３接続端子は、送信がなされるべき第２信号の伝送路に、接続されている無線通信装置とする。【選択図】図１
2010016732.tif 000002
【特許請求の範囲】
【請求項１】
所定の無線通信方式によって通信される信号（「第１信号」とする）の送受信を行う第１無線通信システム、および、他の無線通信方式によって通信される信号（「第２信号」とする）の送受信を行う第２無線通信システムを備えた無線通信装置であって、
第１接続端子、第２接続端子、および第３接続端子を有し、これらの端子のうちの何れかとアンテナ素子とを、切替可能に接続する切替装置を備え、
該第１接続端子は、受信のなされた第１信号および第２信号の伝送路に、
該第２接続端子は、送信がなされるべき第１信号の伝送路に、
該第３接続端子は、送信がなされるべき第２信号の伝送路に、
それぞれ接続されていることを特徴とする無線通信装置。
【請求項２】
前記第１接続端子の後段側には、
入力された電力を分配して出力する、電力分配回路が設けられていることを特徴とする請求項１に記載の無線通信装置。
【請求項３】
受信された第１信号の入力に用いられる第１入力端子と、送信すべき第１信号の出力に用いられる第１出力端子を別個に有し、第１信号についての変調および復調処理を行う、第１信号処理回路と、
受信された第２信号の入力に用いられる第２入力端子と、送信すべき第２信号の出力に用いられる第２出力端子を別個に有し、第２信号についての変調および復調処理を行う、第２信号処理回路と、
を備え、
該第１入力端子は、前記電力分配回路の分配先の一方に、
該第２入力端子は、前記電力分配回路の分配先の他方に、
該第１出力端子は、前記第２接続端子に、
該第２出力端子は、前記第３接続端子に、
それぞれ接続されていることを特徴とする請求項２に記載の無線通信装置。
【請求項４】
前記第１接続端子と前記電力分配回路との間には、電力を増幅させる増幅回路が設けられており、
該増幅回路は、
該増幅の実行／不実行が切替可能となっていることを特徴とする請求項３に記載の無線通信装置。
【請求項５】
前記電力分配回路における電力の分配率は、
第１無線通信システムと第２無線通信システムにおける、必要な受信強度の比に応じて設定されていることを特徴とする請求項２から請求項４の何れかに記載の無線通信装置。
【請求項６】
第１信号の待ち受けと同時に、第２信号の待ち受けも実行することを特徴とする請求項１から請求項５の何れかに記載の無線通信装置。
【請求項７】
前記切替装置、前記電力分配回路、前記増幅回路、前記第１信号処理回路、および前記第２信号処理回路の各々は、同一基板上に配置されていることを特徴とする請求項１から請求項６の何れかに記載の無線通信装置。
【請求項８】
前記切替装置、前記電力分配回路、前記増幅回路、前記第１信号処理回路、および前記第２信号処理回路の各々は、１つの集積回路に配置されていることを特徴とする請求項１から請求項６の何れかに記載の無線通信装置。
【請求項９】
前記第１無線通信システムと前記第２無線通信システムは、
互いに同一の周波数帯により、無線通信を行うことを特徴とする請求項１から請求項８の何れかに記載の無線通信装置。
【請求項１０】
前記第１無線通信システムは、無線ＬＡＮの方式によって無線通信を行い、
前記第２無線通信システムは、Ｂｌｕｅｔｏｏｔｈの方式によって無線通信を行うことを特徴とする請求項１から請求項８の何れかに記載の無線通信装置。
【発明の詳細な説明】
【技術分野】
【０００１】
本発明は、無線送信機能および無線受信機能を備えた無線通信装置に関する。
【背景技術】
【０００２】
近年において、携帯電話機やスマートフォン等の無線通信機能を搭載した無線通信機器には、１台に複数の無線通信システムが採用されていることが多い。その中でも、通信周波数が２．４ＧＨｚ帯である、無線ＬＡＮやＢｌｕｅｔｏｏｔｈ（登録商標）などの無線通信システムは、使用に際して免許不要であり、取り扱いが容易であることから、一般的に使用されている。
【０００３】
しかしながら、無線ＬＡＮとＢｌｕｅｔｏｏｔｈなどの同一周波数帯を利用する無線通信システムが同時に動作すると、周波数帯が同一であるため、帯域制限フィルター等を用いて他方の無線通信システムの信号を除去することは容易ではない。そのため、互いに妨害波として干渉し合い、それぞれの通信性能が劣化するという問題を抱えている。
【０００４】
特に、携帯電話機等の小型の無線通信機器内部に、複数の無線通信システムが存在する場合、無線通信システムごとに備えられたアンテナ素子間の物理的な距離が短くなる。そのため、一方の無線通信システムのアンテナ素子から送信された信号（電波）が、他方の無線通信システムのアンテナ素子で受信され、妨害波として干渉しやすくなっている。
【０００５】
このような干渉の低減に配慮された通信装置としては、例えば図２に示す形態（以下、「第１従来形態」と称する）のものが挙げられる。当該通信装置５１は、各アンテナ入出力端子（６２ａ、６２ｂ）に、無線ＬＡＮ用のアンテナ素子６１ａと、Ｂｌｕｅｔｏｏｔｈ用のアンテナ素子６１ｂが接続されている。また各アンテナ素子（６１ａ、６１ｂ）間の物理的な距離は、互いの干渉が無視できる程度に大きく設計されている。
【０００６】
そして無線ＬＡＮの信号待ち受け（信号の受信が可能である状態で待機すること）を行う場合には、制御回路５８は、無線ＬＡＮの信号処理部５２に設けられている受信アンプ回路５３ａとアンテナ素子６１ａが接続されるように、ＳＰＤＴ［Single Pole Double Throw：単極双投］スイッチ回路６３を制御する。また無線ＬＡＮの信号送信を行う場合には、制御回路５８は、送信アンプ回路５３ｂとアンテナ素子６１ａが接続されるように、ＳＰＤＴスイッチ回路６３を制御する。
【０００７】
一方、Ｂｌｕｅｔｏｏｔｈの信号待ち受けを行う場合には、制御回路５８は、Ｂｌｕｅｔｏｏｔｈの信号処理部５５に設けられている受信アンプ回路５６ａとアンテナ素子６１ｂが接続されるように、ＳＰＤＴスイッチ回路５６ｃを制御する。またＢｌｕｅｔｏｏｔｈの信号送信を行う場合には、制御回路５８は、送信アンプ回路５６ｂとアンテナ素子６１ｂが接続されるように、ＳＰＤＴスイッチ回路５６ｃを制御する。
【０００８】
このような第１従来形態の通信装置によれば、無線ＬＡＮとＢｌｕｅｔｏｏｔｈの何れの通信方式によっても信号の送受信が可能であるが、少なくとも２個のアンテナ素子が必要となるために部品点数が増加し、製造コストを抑えることが難しくなる。またアンテナ素子間の距離を十分に確保する必要があるため、製品の小型化を図ることが難しくなる。
【０００９】
この点、図３に示す形態（以下、「第２従来形態」と称する）の通信装置（特許文献１に開示されているものと同等）によれば、設けられているアンテナ素子は１個のみであるため、上述した第１従来形態の問題点は解消される。当該通信装置５１では、アンテナ６１側から入力される電力を二つに分配する電力分配回路６４が設けられている。
【００１０】
そして無線ＬＡＮの信号待ち受けを行う場合には、制御回路５８は、無線ＬＡＮの信号処理部５２に設けられている受信アンプ回路５３ａと電力分配回路６４が接続されるように、ＳＰＤＴスイッチ回路５３ｃを制御する。また無線ＬＡＮの信号送信を行う場合には、制御回路５８は、送信アンプ回路５３ｂと電力分配回路６４が接続されるように、ＳＰＤＴスイッチ回路５３ｃを制御する。
【００１１】
一方、Ｂｌｕｅｔｏｏｔｈの信号待ち受けを行う場合には、制御回路５８は、Ｂｌｕｅｔｏｏｔｈの信号処理部５５に設けられている受信アンプ回路５６ａと電力分配回路６４が接続されるように、ＳＰＤＴスイッチ回路５６ｃを制御する。またＢｌｕｅｔｏｏｔｈの信号送信を行う場合には、制御回路５８は、送信アンプ回路５６ｂと電力分配回路６４が接続されるように、ＳＰＤＴスイッチ回路５６ｃを制御する。
【００１２】
また電力分配回路６４が設けられることにより、両無線通信システム間に、所定の（一般的に１５ｄＢ程度の）電気的なアイソレーションを確保することができる。そのため、両無線通信システムにおいてアンテナ素子６１が共用されても、無線通信システム同士の不要な干渉を極力軽減させることが可能となっている。
【００１３】
また、図４に示す形態（以下、「第３従来形態」と称する）の通信装置（特許文献２に開示されているものと同等）によっても、設けられるアンテナ素子を１個のみとすることが可能である。本形態では、３個のＳＰＤＴスイッチ回路（５６ｃ、６５、６６）が設けられている。
【００１４】
この第３従来形態において無線ＬＡＮの信号待ち受けを行う場合には、制御回路５８は、無線ＬＡＮの信号処理部５２に設けられている受信アンプ回路５３ａとアンテナ素子６１が接続されるように、各ＳＰＤＴスイッチ回路（６５、６６）を制御する。また無線ＬＡＮの信号送信を行う場合には、制御回路５８は、送信アンプ回路５３ｂとアンテナ素子６１が接続されるように、各ＳＰＤＴスイッチ回路（６５、６６）を制御する。
【００１５】
一方、Ｂｌｕｅｔｏｏｔｈの信号待ち受けを行う場合には、制御回路５８は、Ｂｌｕｅｔｏｏｔｈの信号処理部５５に設けられている受信アンプ回路５６ａとアンテナ素子６１が接続されるように、各ＳＰＤＴスイッチ回路（５６ｃ、６５、６６）を制御する。またＢｌｕｅｔｏｏｔｈの信号送信を行う場合には、制御回路５８は、送信アンプ回路５６ｂとアンテナ素子６１が接続されるように、各ＳＰＤＴスイッチ回路（５６ｃ、６５、６６）を制御する。
【００１６】
また第３従来形態における各ＳＰＤＴスイッチ回路（６５、６６）を、一つのＳＰ３Ｔ［Single Pole ３ Throw：単極３投］スイッチ回路６７で代用した形態（以下、「第４従来形態」と称する）の通信装置の構成を、図５に示す。本形態においても、制御回路５８が、ＳＰ３Ｔスイッチ回路６７やＳＰＤＴスイッチ回路５６ｃを適切に制御することにより、各無線通信システムによる信号の送受信が可能となる。
【特許文献１】特開２００７−３６８５２号公報
【特許文献２】特開２００７−２２８０２１号公報
【発明の開示】
【発明が解決しようとする課題】
【００１７】
上述の通り、第２従来形態から第４従来形態の各通信装置によれば、第１従来形態の通信装置のようにアンテナ素子を複数設けることなく（つまり、部品点数をあまり増やすことなく）、２種類の無線通信システムによる信号の送受信が可能となる。
【００１８】
しかしながら第２従来形態の通信装置によれば、無線ＬＡＮに係る送受信信号とＢｌｕｅｔｏｏｔｈに係る送受信信号との共通の信号伝送路（以下、単に「伝送路」と称することがある）には、電力損失が比較的大きな電力分配回路が介在することになる。そのため、各無線通信システムにおける送信と受信の双方において電力損失が大きくなり、信号の劣化や通信可能距離の低下などを招くおそれがある。なお、電力分配回路での損失は、２分岐回路で均等に電力が分配される場合、理想的に考えても３ｄＢ程度となり、比較的大きな信号劣化を伴うものである。
【００１９】
なお送信電力を大きくするために、送信アンプ回路における増幅度を大きくし、伝送路における電力損失を補完することは可能である。しかし送信アンプ回路は消費電力が大きく、また発熱量も多いために、増幅度を大きくし過ぎると、通信装置ひいては通信装置を備えた通信機器の発熱が大きくなる。そのため、通信装置や通信機器における消費電力の増大や、製品寿命の低下を招くおそれがある。また送信アンプ回路を追加配置することになると、通信装置内にその分のスペースを確保する必要があるため、製品の小型化が妨げられる。
【００２０】
また第３従来形態や第４従来形態の通信装置によれば、一方の無線通信システムの信号待ち受け時においては、他方の無線通信システムに係る受信アンプ回路は、アンテナと接続されないようになる。そのため、両方の無線通信システムにおいて、同時に信号待ち受けを行うこと（同時待ち受け）は不可能となっている。
【００２１】
そのため、両方の無線通信システムによる信号の待ち受けを、できるだけ並行して実行させるためには、一方の無線通信システムにおける信号の待ち受け状態と、他方の無線通信システムにおける信号の待ち受け状態が、交互に切替えられる必要がある。しかしこのような切替がなされると、連続的な信号受信が阻害されるため、通信の質が劣化するおそれもある。また通信装置における処理負担も増大することになる。
【００２２】
なお第１〜第４従来形態の各通信装置によると、ＳＰＤＴスイッチ回路やＳＰ３Ｔスイッチ回路といった、信号伝送路を切替えるためのスイッチ回路が多く備えられているため、回路構成が複雑となりやすい。またこのことは、通信装置の小型化を阻害する要因となる。
【００２３】
本発明は上述した問題点に鑑み、２種類の無線通信システムを備え、これらによる信号の同時待ち受けが可能でありながらも、必要な部品点数や伝送路における電力損失を、極力低減させることが容易となる無線通信装置の提供を目的とする。
【課題を解決するための手段】
【００２４】
上記目的を達成するため、本発明に係る無線通信装置は、所定の無線通信方式によって通信される信号（「第１信号」とする）の送受信を行う第１無線通信システム、および、他の無線通信方式によって通信される信号（「第２信号」とする）の送受信を行う第２無線通信システムを備えた無線通信装置であって、第１接続端子、第２接続端子、および第３接続端子を有し、これらの端子のうちの何れかとアンテナ素子とを、切替可能に接続する切替装置を備え、該第１接続端子は、受信のなされた第１信号および第２信号の伝送路に、該第２接続端子は、送信がなされるべき第１信号の伝送路に、該第３接続端子は、送信がなされるべき第２信号の伝送路に、それぞれ接続されている構成（第１の構成）とする。
【００２５】
本構成によれば、アンテナ素子を受信のなされた第１信号および第２信号の伝送路に接続させた状態、アンテナ素子を送信がなされるべき第１信号の伝送路に接続させた状態、およびアンテナ素子を送信がなされるべき第２信号の伝送路に接続させた状態、の何れかに、切替装置によって切替えられる。そのため、アンテナ素子を２種類の無線通信システムに共用させることができ、ひいては無線通信システムごとに別々にアンテナ素子を設ける必要が無く、必要な部品点数を極力抑えることが可能である。
【００２６】
また本構成によれば、アンテナ素子を受信のなされた第１信号および第２信号の伝送路に接続させた状態とすることが可能であるため、第１信号と第２信号の同時待ち受けが可能となる。更に、例えば第１信号および第２信号の伝送路に電力分配回路が設けられたとしても、送信がなされるべき第１信号の伝送路や、送信がなされるべき第２信号の伝送路に、当該電力分配回路を介在させないようにすることが容易である。そのため、伝送路における電力損失を、極力低減させることが容易となる。
【００２７】
また上記第１の構成において、前記第１接続端子の後段側には、入力された電力を分配して出力する、電力分配回路が設けられている構成（第２の構成）としてもよい。
【００２８】
本構成によれば、受信された第１信号を処理する回路と、受信された第２信号を処理する回路が別個に備えられていても、それぞれの回路に、受信された第１信号または第２信号を分配することが可能となる。
【００２９】
また上記第２の構成において、受信された第１信号の入力に用いられる第１入力端子と、送信すべき第１信号の出力に用いられる第１出力端子を別個に有し、第１信号についての変調および復調処理を行う、第１信号処理回路と、受信された第２信号の入力に用いられる第２入力端子と、送信すべき第２信号の出力に用いられる第２出力端子を別個に有し、第２信号についての変調および復調処理を行う、第２信号処理回路と、を備え、該第１入力端子は、前記電力分配回路の分配先の一方に、該第２入力端子は、前記電力分配回路の分配先の他方に、該第１出力端子は、前記第２接続端子に、該第２出力端子は、前記第３接続端子に、それぞれ接続されている構成（第３の構成）としてもよい。
【００３０】
本構成によれば、第１信号と第２信号の双方について、受信された信号の復調や送信すべき信号の変調を適切に実行させることが可能となる。
【００３１】
また上記第３の構成において、前記第１接続端子と前記電力分配回路との間には、電力を増幅させる増幅回路が設けられており、該増幅回路は、該増幅の実行／不実行が切替可能となっている構成（第４の構成）としてもよい。
【００３２】
本構成によれば、電力分配回路における電力損失を補い、受信信号の強度を適切に維持させることが可能となる。また信号の受信時には増幅を実行させる一方、送信時には増幅を不実行とすることで、受信用の伝送路と送信用の伝送路とのアイソレーションを高めることが可能となる。そのため、送信信号が受信用の伝送路に入り込むといった不具合を、極力防ぐことが可能となる。なお増幅回路は、第１信号と第２信号との共通の受信用伝送路に配置されるため、それぞれの信号の受信用伝送路に別個に配置されるような場合に比べて、部品点数を少なくすることが可能となる。
【００３３】
また上記第２から第４の何れかの構成において、前記電力分配回路における電力の分配率は、第１無線通信システムと第２無線通信システムにおける、必要な受信強度の比に応じて設定されている構成（第５の構成）としてもよい。本構成によれば、電力分配回路による電力の分配を、効率の良いものとすることが可能となる。
【００３４】
また上記第１から第５の何れかの構成において、第１信号の待ち受けと同時に、第２信号の待ち受けも実行される構成（第６の構成）としてもよい。本構成によれば、第１信号と第２信号の何れの信号が到来しても、当該信号を適切に受信することが可能となる。また、例えば第１信号の待ち受けと第２信号の待ち受けが交互に実行されるものに比べて、通信の質を良好に維持させることが容易となる。
【００３５】
また上記第１から第６の何れかの構成において、前記切替装置、前記電力分配回路、前記増幅回路、前記第１信号処理回路、および前記第２信号処理回路の各々が、同一基板上に配置されている構成（第７の構成）としてもよく、１つの集積回路に配置されている構成（第８の構成）としてもよい。本構成によれば、無線通信装置の小型化を図ることが容易となる。
【００３６】
また上記第１から第８の何れかの構成としてより具体的には、前記第１無線通信システムと前記第２無線通信システムは、互いに同一の周波数帯により、無線通信を行う構成（第９の構成）としてもよく、前記第１無線通信システムは、無線ＬＡＮの方式によって無線通信を行い、前記第２無線通信システムは、Ｂｌｕｅｔｏｏｔｈの方式によって無線通信を行う構成（第１０の構成）としてもよい。
【発明の効果】
【００３７】
上述した通り、本発明に係る無線通信装置によれば、アンテナ素子を受信のなされた第１信号および第２信号の伝送路に接続させた状態、アンテナ素子を送信がなされるべき第１信号の伝送路に接続させた状態、およびアンテナ素子を送信がなされるべき第２信号の伝送路に接続させた状態、の何れかに、切替装置によって切替えられる。そのため、アンテナ素子を２種類の無線通信システムに共用させることができ、ひいては無線通信システムごとに別々にアンテナ素子を設ける必要が無く、必要な部品点数を極力抑えることが可能である。
【００３８】
また本構成によれば、アンテナ素子を受信のなされた第１信号および第２信号の伝送路に接続させた状態とすることが可能であるため、第１信号と第２信号の同時待ち受けが可能となる。更に、例えば第１信号および第２信号の伝送路に電力分配回路が設けられたとしても、送信がなされるべき第１信号の伝送路や、送信がなされるべき第２信号の伝送路に、当該電力分配回路を介在させないようにすることが容易である。そのため、伝送路における電力損失を、極力低減させることが容易となる。
【発明を実施するための最良の形態】
【００３９】
本発明の実施形態について、無線通信装置（高周波通信装置）を例に挙げて、以下に説明する。当該無線通信装置は、無線ＬＡＮの方式によって信号の送受信を行う無線ＬＡＮシステムと、Ｂｌｕｅｔｏｏｔｈの方式によって信号の送受信を行うＢｌｕｅｔｏｏｔｈシステムの双方を備えている。なおここでの「システム」は、通信を実行するための各装置からなる体系を指す。
【００４０】
また無線ＬＡＮおよびＢｌｕｅｔｏｏｔｈは、一般的に使用されている２．４ＧＨｚ帯を用いた通信方式として知られている。また本実施形態の無線通信装置は、例えば携帯電話機やスマートフォンといった携帯型の通信端末をはじめ、各種の通信機器に適用され得る。
【００４１】
当該無線通信装置の概略的な構成図を、図１に示す。本図に示すように、無線通信装置１は、無線ＬＡＮ用信号処理部２、Ｂｌｕｅｔｏｏｔｈ用信号処理部３、アンテナ入出力端子１２、ＳＰ３Ｔスイッチ回路１３、ＬＮＡ［Low Noise Amplifier］１４、電力分配回路１５、および制御回路２０などを備えている。
【００４２】
無線ＬＡＮ用信号処理部２は、無線ＬＡＮ用ＲＦ回路１６および無線ＬＡＮ用ＢＢ／ＭＡＣ回路１８を備えており、無線ＬＡＮシステムの中心的役割を果たす。無線ＬＡＮ用ＢＢ／ＭＡＣ回路１８は、例えばＩＣチップとして形成されており、無線ＬＡＮ用ＲＦ回路１６との間におけるベースバンド信号の送受や、無線ＬＡＮシステムに関わる各種の情報処理などを行う。
【００４３】
また無線ＬＡＮ用ＲＦ回路１６は、受信された信号の入力に用いられる第１入力端子１６ｃと、送信すべき信号の出力に用いられる第１出力端子１６ｄを別個に有している。また受信された信号を増幅させるための、ＬＮＡとして形成されている受信アンプ１６ａと、送信すべき信号を増幅させるための送信アンプ１６ｂをも備えている。受信アンプ１６ａの入力側は第１入力端子１６ｃに、送信アンプ１６ｂの出力側は第１出力端子１６ｄに、それぞれ接続されている。そして無線ＬＡＮ用ＲＦ回路１６は、受信された信号に対しては復調処理を、送信すべき信号に対しては変調処理を実行する。
【００４４】
Ｂｌｕｅｔｏｏｔｈ用信号処理部３は、Ｂｌｕｅｔｏｏｔｈ用ＲＦ回路１７およびＢｌｕｅｔｏｏｔｈ用ＢＢ／ＭＡＣ回路１９を備えており、Ｂｌｕｅｔｏｏｔｈシステムの中心的役割を果たす。またＢｌｕｅｔｏｏｔｈ用ＢＢ／ＭＡＣ回路１９は、例えばＩＣチップとして形成されており、Ｂｌｕｅｔｏｏｔｈ用ＲＦ回路１７との間におけるベースバンド信号の送受や、Ｂｌｕｅｔｏｏｔｈシステムに関わる各種の情報処理などを行う。
【００４５】
またＢｌｕｅｔｏｏｔｈ用ＲＦ回路１７は、受信された信号の入力に用いられる第２入力端子１７ｃと、送信すべき信号の出力に用いられる第２出力端子１７ｄを別個に有している。また受信された信号を増幅させるための、ＬＮＡとして形成されている受信アンプ１７ａと、送信すべき信号を増幅させるための送信アンプ１７ｂをも備えている。受信アンプ１７ａの入力側は第１入力端子１７ｃに、送信アンプ１７ｂの出力側は第１出力端子１７ｄに、それぞれ接続されている。そしてＢｌｕｅｔｏｏｔｈ用ＲＦ回路１７は、受信された信号に対しては復調処理を、送信すべき信号に対しては変調処理を実行する。
【００４６】
またＳＰ３Ｔスイッチ回路１３は、一方側には単極の端子１３ａが、他方側には第１接続端子１３ｂ、第２接続端子１３ｃ、および第３接続端子１３ｄの各々が設けられている。そして単極の端子１３ａが３個の端子（１３ｂ〜１３ｄ）の何れかに、切替可能に接続されるようになっている。
【００４７】
また単極の端子１３ａは、アンテナ入出力端子１２を介して、アンテナ素子１１に接続されている。また第２接続端子１３ｃは、第１出力端子１６ｄに接続されており、第３接続端子１３ｄは、第２出力端子１７ｄに接続されている。なおＳＰ３Ｔスイッチ回路１３における接続の切替は、制御回路２０の指示に応じて実行される。
【００４８】
ＬＮＡ１４は、入力側が、ＳＰ３Ｔスイッチ回路１３における第１接続端子１３ｂに、出力側が、電力分配回路１５の入力側に接続されている。これにより、入力された電力を所定の増幅率の分だけ増幅させて出力する。なおＬＮＡ１４においては、増幅の実行／不実行が、制御回路２０の指示に応じて切替可能となっている。
【００４９】
電力分配回路１５は、ＬＮＡ１４の後段側に設けられており、出力側が、第１入力端子１６ｃと第２入力端子１７ｃに接続されている。これにより電力分配回路１５は、ＬＮＡ１４から入力された電力（受信信号）を、二つの分配先（第１入力端子１６ｃと第２入力端子１７ｃ）に分配する。なお、第１入力端子１６ｃが、電力分配回路１５の分配先の一方に、第２入力端子１７ｃが、電力分配回路１５の分配先の他方に、それぞれ接続されていると見ることもできる。また、第１接続端子１３ｂから電力分配回路１５までの伝送路は、無線ＬＡＮシステムとＢｌｕｅｔｏｏｔｈシステムにおける、共通の受信用伝送路と見ることもできる。
【００５０】
なおこの電力分配回路１５における電力の分配率は、各無線通信システムにおける、必要な（要求される）受信強度の比に応じて設定されている。例えば無線ＬＡＮシステムにおいて必要な受信強度と、Ｂｌｕｅｔｏｏｔｈシステムにおいて必要な受信強度との比が、５：４であれば、電力分配回路１５における電力の分配率も、５：４（無線ＬＡＮシステム側：Ｂｌｕｅｔｏｏｔｈシステム側）に設定される。これにより、受信信号に係る電力の分配を効率の良いものとすることが可能となり、ひいては、ＬＮＡ１４における電力増幅率の設定値を極力小さくすることが可能となる。ただし電力分配回路１５としては、電力を均等に分配するものや、電力の分配率が可変（調整可能）であるもの等が採用されていても構わない。
【００５１】
制御回路２０は、無線通信装置１において実行される各種処理を制御する。制御の対象となる処理には、ＳＰ３Ｔスイッチ回路１３における接続の切替や、ＬＮＡ１４における増幅の実行／不実行の切替が含まれる。なお制御回路２０の実装形態としては、無線通信装置１内部にＣＰＵ［Central Processing Unit］等として実装される形態の他、無線ＬＡＮ用ＢＢ／ＭＡＣ回路１８やＢｌｕｅｔｏｏｔｈ用ＢＢ／ＭＡＣ回路１９の内部に実装される形態、無線通信装置１の外部に実装される形態などであっても構わない。
【００５２】
以上に説明した構成の無線通信装置１によれば、無線ＬＡＮの通信方式による信号送信、Ｂｌｕｅｔｏｏｔｈの通信方式による信号送信、および、双方の通信方式に係る信号の待ち受け（同時待ち受け）の各動作を、適宜切替えて実行することが可能である。より詳細には、次の通りである。
【００５３】
まず無線ＬＡＮの通信方式による信号送信が実行される場合には、制御回路２０は、アンテナ素子１１が送信アンプ１６ｂへ接続されるようにＳＰ３Ｔスイッチ回路１３を制御するとともに、ＬＮＡ１４における増幅が不実行となるようにする。そしてこの状態で、無線ＬＡＮ用ＢＢ／ＭＡＣ回路１８によって生成されたベースバンド信号（送信すべき信号）は、無線ＬＡＮ用ＲＦ回路１６に入力されて、無線ＬＡＮの規格に従った形式の高周波信号に変換（変調）される。
【００５４】
この高周波信号は、送信アンプ１６ｂから、第１出力端子１６ｄ、ＳＰ３Ｔスイッチ回路１３、およびアンテナ入出力端子１２を含む伝送路を経て、アンテナ素子１１に伝送され、電波として放出される。これにより、無線ＬＡＮの通信方式による信号送信が達成される。
【００５５】
またＢｌｕｅｔｏｏｔｈの通信方式による信号送信が実行される場合には、制御回路２０は、アンテナ素子１１が送信アンプ１７ｂへ接続されるようにＳＰ３Ｔスイッチ回路１３を制御するとともに、ＬＮＡ１４における増幅が不実行となるようにする。そしてこの状態で、Ｂｌｕｅｔｏｏｔｈ用ＢＢ／ＭＡＣ回路１９によって生成されたベースバンド信号（送信すべき信号）は、Ｂｌｕｅｔｏｏｔｈ用ＲＦ回路１７に入力されて、Ｂｌｕｅｔｏｏｔｈの規格に従った形式の高周波信号に変換（変調）される。
【００５６】
この高周波信号は、送信アンプ１７ｂから、第２出力端子１７ｄ、ＳＰ３Ｔスイッチ回路１３、およびアンテナ入出力端子１２を含む伝送路を経て、アンテナ素子１１に伝送され、電波として放出される。これにより、Ｂｌｕｅｔｏｏｔｈの通信方式による信号送信が達成される。
【００５７】
また双方の通信方式の信号待ち受けが実行される場合には、制御回路２０は、アンテナ素子１１がＬＮＡ１４へ接続されるようにＳＰ３Ｔスイッチ回路１３を制御するとともに、ＬＮＡ１４における増幅が実行されるようにする。この状態では、外部から到来した高周波信号はアンテナ素子１１によって受信され、アンテナ入出力端子１２、ＳＰ３Ｔスイッチ回路１３、ＬＮＡ１４、および電力分配回路１５を含む伝送路を経て、それぞれの受信アンプ（１６ａ、１７ａ）に伝送される。
【００５８】
そこで、無線ＬＡＮ用ＲＦ回路１６は、受信アンプ１６ａへ伝送されてきた無線ＬＡＮの規格に従った高周波信号を、ベースバンド信号に変換（復調）して、無線ＬＡＮ用ＢＢ／ＭＡＣ回路１８に伝送する。また、Ｂｌｕｅｔｏｏｔｈ用ＲＦ回路１７は、受信アンプ１７ａへ伝送されてきたＢｌｕｅｔｏｏｔｈの規格に従った高周波信号を、ベースバンド信号に変換（復調）して、Ｂｌｕｅｔｏｏｔｈ用ＢＢ／ＭＡＣ回路１９に伝送する。これにより、無線ＬＡＮとＢｌｕｅｔｏｏｔｈの何れに係る高周波信号が到来した場合であっても、無線通信装置１は、当該高周波信号は適切に受信される。つまり、双方の通信方式に係る信号の同時待ち受けが実行されることになる。
【００５９】
また上述したように、制御回路２０は、信号の待ち受けが実行される時にはＬＮＡ１４における増幅が実行されるようにする一方、それ以外の時（信号送信時など）には、増幅が不実行となるように、ＬＮＡを制御する。これにより、受信用の伝送路と送信用の伝送路とのアイソレーションが高められ、送信信号が受信用の伝送路に入り込むといった不具合を、極力防ぐことが可能となっている。
【００６０】
また信号の待ち受け時以外には増幅が不実行となっているため、増幅が常時実行される場合等に比べて、省電力を図ることも可能となっている。また更に、ＬＮＡ１４は、無線ＬＡＮによる受信信号とＢｌｕｅｔｏｏｔｈによる受信信号の、共通の受信用伝送路に配置されているため、それぞれの無線通信システムについて別個にＬＮＡが配置されるような場合に比べて、部品点数を少なくすることが可能となっている。
【００６１】
ここで、必要な部品点数、伝送路における電力損失、および信号の同時待ち受けの可否の各観点から、本実施形態に係る無線通信装置１と、先述した第１従来形態から第４従来形態（図２から図５）の各々に係る従来の通信装置とを比較した場合の優劣について、以下に説明する。
【００６２】
まず通信装置に必要なアンテナ素子の個数については、本実施形態では１個であるのに対して、第１従来形態では２個となっている。このように本実施形態では、第１従来形態の通信装置に比べて、必要な部品点数が少なくなっており、製造コストを抑えることが比較的容易となっている。なお、通信装置に必要なスイッチ回路（ＳＰＤＴまたはＳＰ３Ｔ）の個数については、本実施形態では１個であるのに対して、第１従来形態と第４従来形態では２個、第２従来形態と第３従来形態では３個となっている。このように本実施形態は、必要なスイッチ回路が比較的少なくなっており、この点からも、部品点数の低減において有利である。
【００６３】
また、ＳＰ３Ｔスイッチ回路での電力損失をａ［ｄＢ］、電力分配回路での電力損失をｂ［ｄＢ］、ＳＰＤＴスイッチ回路での電力損失をｃ［ｄＢ］とすると、各通信装置についての信号の伝送路における電力損失は、表１に示す通りとなる。例えば本実施形態の場合、無線ＬＡＮシステムまたはＢｌｕｅｔｏｏｔｈシステムによる信号受信時では、伝送路にＳＰ３Ｔスイッチ回路１３と電力分配回路１５が介在しているため、電力損失は表１に示すように、ａ＋ｂ［ｄＢ］である。ただし表１に示す値は、単位がｄＢであり、配線等における損失等を省略したもの（理想値）とする。
【表１】
2010016732.tif 000003
【００６４】
また本実施形態、第１従来形態、および第２従来形態では、無線ＬＡＮシステムによる信号と、Ｂｌｕｅｔｏｏｔｈシステムによる信号を、同時に待ち受けることが可能となっているが、第３従来形態および第４従来形態では、このような同時待ち受けが不可能となっている。これらの形態においては、一方のシステムによる受信信号の伝送路がアンテナ素子に接続されている状態では、他方のシステムにおける受信信号の伝送路は、アンテナ素子に接続されていないからである。
【００６５】
ここで、伝送路での電力損失、アンテナ素子の数、および信号の同時待ち受けの可否に関して、本実施形態と各従来形態を比較したものを表２に示す。なおＳＰＤＴスイッチ回路やＳＰ３Ｔスイッチ回路による電力損失（先述したａ［ｄＢ］やｃ［ｄＢ］）は、通常１［ｄＢ］程度であり、また電力配分回路による電力損失（先述したｂ［ｄＢ］）は、通所３［ｄＢ］程度である。そのため、表２における電力損失の値は、各形態を比較容易とするために、これらの値を代入して求めたものとしている。
【表２】
2010016732.tif 000004
【００６６】
表２に示す通り、信号の同時待ち受けが可能であり、かつ、必要なアンテナ素子の数が１個であるのは、本実施形態と第２従来形態のみである。またこれらのうち、伝送路での電力損失がより小さいのは、本実施形態であるといえる。つまり本実施形態は、信号の同時待ち受け機能の発揮、部品点数の低減、および伝送路での電力損失の低減の各観点から総合的に評価した場合、各従来形態に比べて優れているということができる。
【００６７】
なお本実施形態は、第１従来形態と比べて、必要なアンテナ素子数は少ないが、信号受信時における伝送路での電力損失は大きくなっている。しかしながら本実施形態では、信号受信時における伝送路での電力損失を、ＬＮＡ１４で補うことが可能となっている。そのため、必要なアンテナ素子が少なくて済む本実施形態は、第１従来形態に比べて有利な構成であるといえる。
【００６８】
また無線通信装置１に用いられている各部品、つまり、無線ＬＡＮ用信号処理部２、Ｂｌｕｅｔｏｏｔｈ用信号処理部３、ＳＰ３Ｔスイッチ回路１３、ＬＮＡ１４、電力分配回路１５、および制御回路２０などの実装形態としては、例えば、同一基板上に全て配置されている形態としてもよく、一つの集積回路に全て配置されている形態としても良い。このような形態とすることで、無線通信装置１の小型化を図ることが容易となる。
【００６９】
以上に説明した通り、無線通信装置１は、無線ＬＡＮの通信方式によって通信される信号（第１信号）の送受信を行う無線ＬＡＮシステム、および、Ｂｌｕｅｔｏｏｔｈの通信方式によって通信される信号（第２信号）の送受信を行うＢｌｕｅｔｏｏｔｈシステムを備えている。また更に、第１接続端子１３ｂ、第２接続端子１３ｃ、および第３接続端子１３ｄを有し、これらの端子のうちの何れかとアンテナ素子１１とを、切替可能に接続するＳＰ３Ｔスイッチ回路１３（切替装置）を備えている。
【００７０】
そしてこの第１接続端子１３ｂは、受信のなされた第１信号および第２信号の伝送路に、第２接続端子１３ｃは、送信がなされるべき第１信号の伝送路に、第３接続端子１３ｄは、送信がなされるべき第２信号の伝送路に、それぞれ接続されている。また、第１接続端子１３ｂの後段側には、入力された電力を分配して出力する、電力分配回路１５が設けられている。
【００７１】
そのため、アンテナ素子１１を２種類の無線通信システムに共用させることができ、ひいては無線通信システムごとに別々にアンテナ素子を設ける必要が無く、必要な部品点数を極力抑えることが可能となっている。
【００７２】
また、アンテナ素子１１を受信のなされた第１信号および第２信号の伝送路に接続させた状態とすることが可能であるため、第１信号と第２信号の同時待ち受けが可能となっている。更に、受信信号に係る電力を増幅させるための電力分配回路１５が設けられているが、送信がなされるべき第１信号の伝送路や、送信がなされるべき第２信号の伝送路には、電力分配回路１５が介在しないようになっている。そのため、信号送信用の伝送路に電力分配回路が介在するものに比べて、伝送路における電力損失を低減させることが可能となっている。
【００７３】
以上、本発明の実施形態について一例を挙げて説明したが、本発明はこの内容に限定されるものではない。また本発明の実施形態としては、本発明の主旨を逸脱しない範囲において、種々の改変を加えることが可能である。
【産業上の利用可能性】
【００７４】
本発明は、無線通信装置などの分野において利用可能である。
【図面の簡単な説明】
【００７５】
【図１】本発明の実施形態に係る無線通信装置の構成図である。
【図２】従来の無線通信装置における一形態（第１従来形態）の構成図である。
【図３】従来の無線通信装置における一形態（第２従来形態）の構成図である。
【図４】従来の無線通信装置における一形態（第３従来形態）の構成図である。
【図５】従来の無線通信装置における一形態（第４従来形態）の構成図である。
【符号の説明】
【００７６】
１    無線通信装置
２    無線ＬＡＮ用信号処理部（第１信号処理回路）
３    Ｂｌｕｅｔｏｏｔｈ用信号処理部（第２信号処理回路）
１１    アンテナ素子
１２    アンテナ入出力端子
１３    ＳＰ３Ｔスイッチ回路（切替装置）
１３ａ  単極の端子
１３ｂ  第１接続端子
１３ｃ  第２接続端子
１３ｄ  第３接続端子
１４    ＬＮＡ（増幅回路）
１５    電力分配回路
１６    無線ＬＡＮ用ＲＦ回路
１６ａ  受信アンプ
１６ｂ  送信アンプ
１６ｃ  第１入力端子
１６ｄ  第１出力端子
１７    Ｂｌｕｅｔｏｏｔｈ用ＲＦ回路
１７ａ  受信アンプ
１７ｂ  送信アンプ
１７ｃ  第２入力端子
１７ｄ  第２出力端子
１８    無線ＬＡＮ用ＢＢ／ＭＡＣ回路
１９    Ｂｌｕｅｔｏｏｔｈ用ＢＢ／ＭＡＣ回路
２０    制御回路
【図１】
2010016732.tif 000005
【図２】
2010016732.tif 000006
【図３】
2010016732.tif 000007
【図４】
2010016732.tif 000008
【図５】
2010016732.tif 000009